(57)【特許請求の範囲】
【請求項１】
レンズ交換可能なカメラのマウント部に装着可能なカメラ側部材と、該カメラ側部材にシフト及びティルト可能に装着された撮影レンズ着脱可能なレンズ側部材と、カメラ側回転部材の回転をレンズ側回転部材に伝える回転伝達手段とを備えたシフト・ティルトアダプタであって、
上記回転伝達手段が、上記カメラ側部材及びレンズ側部材に設けられカメラ側回転部材及びレンズ側回転部材にそれぞれ連動する一対のユニバーサルジョイントと、該一対のユニバーサルジョイントを回転方向に同動し軸線方向に摺動自在に連結するスライド部材とからなり、該スライド部材を上記撮影レンズの光軸にほぼ直交する面上に設けたことを特徴とするシフト・ティルトアダプタ。
【請求項２】
カメラ側部材が、カメラのマウント部に装着される基板と、該基板に所定距離摺動自在なシフト板とからなることを特徴とする請求項１記載のシフト・ティルトアダプタ。
【請求項３】
レンズ側部材が、シフト板に所定角度ティルト可能に装着されていることを特徴とする請求項２記載のシフト・ティルトアダプタ。
【請求項４】
レンズ側部材とシフト板とが蛇腹により連結されていることを特徴とする請求項３記載のシフト・ティルトアダプタ。
【請求項５】
カメラ側部材及びレンズ側部材のそれぞれのマウント部に設けた情報伝達接点がフレキシブルプリント基板により接続されていることを特徴とする請求項１乃至４のいずれか１項記載のシフト・ティルトアダプタ。
【発明の詳細な説明】
【０００１】
【発明の属する技術分野】
この発明はレンズ交換可能でアオリ機能を有しないカメラにおいて、カメラ本体と撮影レンズとの間に介装してシフト及びティルトを可能とするシフト・ティルトアダプタに関する。
【０００２】
【従来の技術】
現在、１３５フィルムや１２０／２２０フィルムを用いる通常のカメラは、撮影レンズ（以下単に「レンズ」という）の光軸が画面中心部で画面に垂直に交わるようになっている。
これに対し、４×５判以上の大判カメラでは、レンズ光軸と画面との交点を画面中心外の上下左右にずらすライズ，フォールまたはシフトや、レンズ光軸と画面との交角を傾斜させて左右または上下へ向きを変えるスウィングまたはティルト等のアオリ機構を備えたものがある。
【０００３】
このようなアオリ機構により、ライズ，フォール，シフト（以下共に「シフト」という）では、カメラの向きを変えることなく被写界範囲を上下左右へ移動させて画像の歪みを匡正したり誇張したりすることができ、スウィング，ティルト（以下共に「ティルト」という）では、左右または上下方向の被写界深度を深くしたり浅くすることが可能になる。
【０００４】
そして、これらのアオリ機構はそれぞれ単独で使用することは少なく、ほとんどの場合そのいくつかを組み合わせることによってきわめて多彩なアオリ効果を発揮することができるため、特に建築写真や商品写真等の分野では必須の機構となっており、１２０／２２０フィルムを用いる中判カメラにもアオリ機構の搭載が強く求められている。
【０００５】
しかしながら、携帯性や機動性を要求される中判カメラでカメラ本体にアオリ機構を搭載すると、カメラ本体が著しく大きく重くなって手持ち撮影がほとんど不可能となる。そのため、アオリ機能を有しないカメラに装着可能なアオリ機構付き交換レンズが種々開発されている。
【０００６】
従来、レンズ側にシフト機構及びティルト機構を内蔵するとともに、カメラ側回転部材の回転をレンズ側回転部材に伝える回転伝達手段を備えたアオリレンズとしては、米国特許第４，２２９，０９４号に記載されたものが知られている。これは、レンズ鏡筒内に上下左右のシフト機構と上下のティルト機構とを設けるとともに、カメラ側のシャッタチャージリングの回転を、レンズ鏡筒内にレンズ光軸とほぼ平行に設けたユニバーサルジョイントを介してレンズシャッタのセット部材に連結したものである。
【０００７】
また、本出願人の出願に係る特公平５−３３３６３号，特公平５−３３３６４号，特公平５−３３３６５号，特公平５−３３７６５号及び特公平５−４０８８１号の各公報に記載されたレンズシャッタ付アオリレンズは、いかなるシフト状態においてもカメラ側回転部材とレンズ側回転部材との相対位置関係を不変とすることにより、レンズ鏡筒を大形化することなく全方向のアオリを可能とし、且つカメラ側からレンズ側レンズシャッタの確実なチャージ及びレリーズを可能としたものである。
【０００８】
【発明が解決しようとする課題】
しかしながら、このような従来のアオリレンズにあっては、いずれもレンズ鏡筒内に設けたシャッタチャージの連動機構が複雑化し、レンズの大きさや重さが著しく増大するだけでなく、生産性も低くきわめて高価となるきらいがあった。
このような点を避けるため、専用の交換レンズの使用を断念し、例えばフランジバックの長い中判カメラ用の交換レンズを、それよりフランジバックの短い３５mm判カメラに装着するためのレンズアダプタにシフト機構あるいはティルト機構を組み込んだアオリ機構付きアダプタも現れているが、いずれも絞りやシャッタ等の回転伝達機構は設けられていない。
【０００９】
ところが、近時デジタル写真の普及に伴い、例えばバック交換可能な６×７cm判の一眼レフカメラに装着可能な画素数６００万程度の大型（３０×３０mm）の撮像素子（ＣＣＤ）を搭載した電子写真用デジタルバックが開発され、画像処理が容易な点から特に、スタジオ内での広告写真用商品撮影等に利用されるようになった。
このような商品撮影では、使用レンズの焦点距離は１４０〜１８０mm、撮影距離１ｍ前後で、アオリを必要とする方向はほとんど上下方向である場合が多い。
【００１０】
いま、焦点距離１４０mmのレンズを用い撮影距離１．１ｍで撮影する場合、レンズの繰出量はほぼ２４mmとなる。これだけの繰出量があれば、現行のレンズとカメラ本体との間にアオリ機能を有するシフト・ティルトアダプタを介在させることができ、レンズを繰り出すことにより、さらに近接距離の撮影が可能となる。
この発明は上記の点に鑑みてなされたものであり、カメラとレンズとの間に介装してアオリ操作を可能とするシフト・ティルトアダプタを提供することを目的とする。
【００１１】
【課題を解決するための手段】
この発明は上記の目的を達成するため、レンズ交換可能なカメラのマウント部に装着可能なカメラ側部材と、このカメラ側部材にシフト及びティルト可能に装着された撮影レンズ着脱可能なレンズ側部材と、カメラ側回転部材の回転をレンズ側回転部材に伝える回転伝達手段とを備えたシフト・ティルトアダプタであって、上記回転伝達手段が、上記カメラ側部材及びレンズ側部材に設けられカメラ側回転部材及びレンズ側回転部材にそれぞれ連動する一対のユニバーサルジョイントと、これら一対のユニバーサルジョイントを回転方向に同動し軸線方向に摺動自在に連結するスライド部材とからなり、このスライド部材を上記撮影レンズの光軸にほぼ直交する面上に設けたシフト・ティルトアダプタを提供するものである。
【００１２】
そして、上記のシフト・ティルトアダプタにおいて、カメラ側部材が、カメラのマウント部に装着される基板と、この基板に所定距離摺動自在なシフト板とからなるようにし、レンズ側部材が、シフト板に所定角度ティルト可能に装着されるようにするとよい。
【００１３】
また、上記のシフト・ティルトアダプタにおいて、レンズ側部材とシフト板とが蛇腹により連結されているようにするのが好ましく、カメラ側部材及びレンズ側部材のそれぞれのマウント部に設けた情報伝達接点がフレキシブルプリント基板により接続されているようにするとさらによい。
【００１４】
【発明の実施の形態】
以下、この発明の実施形態を図面に基づいて具体的に説明するが、それに先立ち、この発明を実施すべきカメラの概略構成、特にそのカメラ側とレンズ側との回転伝達機構を図１０を参照して簡単に説明する。なお、この図１０はチャージ完了状態を示している。
【００１５】
このカメラ１００は、レンズ及びフィルムバック交換可能な６×７cm判のレンズシャッタ式一眼レフカメラであり、カメラ本体１０１、交換可能な撮影レンズ１０２及び図示しないレボルビング・アダプタを介してレンズ光軸を中心として９０度回転させることにより画面を縦横に切り換えるフイルムバックからなる。
なお、撮影レンズ１０２を装着可能なマウントを有するレンズボード１０３はカメラ本体１０１と蛇腹１０４により連結され、図示しないラック・ピニオン機構により繰り出される。また、レンズボード１０３のマウント部と撮影レンズ１０２のマウント部にはレンズ装着時に接続される複数の情報伝達接点（図示しない）がそれぞれ設けてある。
【００１６】
カメラ本体１０１は内部にミラー枠１０５及び遮光板１０６を有し、巻上げレバー１０７を下方へほぼ７５度回動させることにより、軸１０８，レバー１０９，歯車１１０，ピニオン１１１，巻上げ軸１１２が巻上げ方向に回転し、戻りスプリング１１３を蓄勢する。巻上げ軸１１２の回転は傘歯車１１４を介して傘歯車１１５に伝えられ、この傘歯車１１５の回転方向に同動し長手方向に摺動自在な回転軸１１６の先端に固設した歯車１１７が、レンズボード１０３上でレンズ光軸の回りを回動可能なチャージリング１１８を所定角度回動させる。
【００１７】
歯車１１０の回転はまた歯車１１９に伝えられ、歯車１１９と一体のミラー作動レバー１２０を時計方向に回動させ、ミラー枠１０５及び遮光板１０６を跳上げ状態からセット状態に復帰させるとともに、レリーズ時にミラー枠１０５及び遮光板１０６を順次跳ね上げるばね１２１を蓄勢した後、ミラー作動レバー１２０が蓄勢位置に係止される。
【００１８】
一方、撮影レンズ１０２の鏡筒内には、レンズシャッタ（図示しない）が内蔵されていて、その背面にレンズ光軸の回りを回動するシャッタ作動リングが設けられ、このシャッタ作動リングから後方に突設した一対の連結ピン１２２，１２２がカメラ側レンズボード１０３のチャージリング１１８の連結孔１１８ａ，１１８ａに嵌入することにより回転力が伝達される。図１０はカメラ本体１０１のチャージ機構及びレンズ側のレンズシャッタがともにチャージ状態にある場合を示している。
【００１９】
この状態からレリーズボタン１２３が押圧されると、ミラー作動レバー１２０の係止が解かれて反時計方向に回動し、ミラー枠１０５が跳ね上げられるとともに、チャージリング１１８がシャッタ作動リングをシャッタレリーズ方向に回動し、開放状態にあったシャッタ羽根が閉じる。次に、遮光板１０６が跳ね上げられ、その跳上げ完了直前に絞りが所定の値に絞り込まれた後、所定秒時の露光が行われる。
この発明によるシフト・ティルトアダプタは、上記のような構成からなるカメラ１００のレンズボード１０３と撮影レンズ１０２との間に介装されるものである。
【００２０】
図１及び図２は、この発明の一実施形態の非シフト状態を示すものであり、図１は、そのカメラ側部材のレンズ側部材に対向する側の面を示す背面図、図２は、その外面側を示す正面図、図３は、レンズ側部材のカメラ側部材に対向する側の面を示す背面図、図４は、その外面側を示す正面図、図５はカメラ側部材とレンズ側部材との組付け状態における非シフト，非ティルト時の状態を示す側断面図である。
【００２１】
図１及び図２を参照して、カメラ側部材１０は、外面側に図２に示すようにカメラ側レンズボード１０３のマウント部に着脱可能なマウント部１１を有する基板１２と、この基板１２に図で上下方向にほぼ±１０mm摺動可能なシフト板１３とからなる。マウント部１１はロックリング１４を所定角度回動させることによりレンズボード１０３のマウント部にバヨネット結合される。
【００２２】
マウント部１１には光軸の回りに回転自在な連動リング１５が設けてあり、この連動リング１５に突設した一対の連結ピン１６，１６がレンズボード１０３側のチャージリング１１８の連結孔１０８ａ，１０８ａに連結されることにより、カメラ本体１０１側の回転が連動リング１５に伝えられる。なお、図２で１７はシフト板１３を基板１２に固定するロックねじ、１８はレンズボード１０３側の情報を伝える情報伝達接点である。
【００２３】
カメラ側部材１０の内面側には、図１に示すように、連動リング１５に歯部１５ａを設け、その回転をピニオン２１，２２を介してピニオン２３に伝え、ピニオン２３と一体の傘歯車２４を介して傘歯車２５を回転させ回転軸線を直角に変換する。そして、この傘歯車２５の回転をユニバーサルジョイント２６を介して断面小判形の連結軸２７に伝える。なお、マウント部の内面下方には情報伝達接点１８をレンズ側部材３０のマウント部に伝えるフレキシブルプリント基板５１の一端が固定されている。
【００２４】
一方、レンズ側部材３０は、図４に示すように、外面側に撮影レンズ１０２を着脱可能なマウント部３１を設け、その下部に撮影レンズ１０２側の情報伝達接点に対応して設けた情報伝達接点３２を設けてあり、内面からフレキシブルプリント基板５１（図３）を介してカメラ側部材１０の情報伝達接点１８に接続されている。
【００２５】
その内面側は、図３に示すように、マウント部３１（図４）内をレンズ光軸を中心として回転する連動リング３３を設け、その歯部３３ａをピニオン３４，３５を介してピニオン３６に歯合させ、このピニオン３６と一体の傘歯車３７の回転を軸線方向の直交する傘歯車３８に伝え、その回転をユニバーサルジョイント３９を介して、図３に示したカメラ側部材１０の連結軸２７に摺動自在に嵌合する小判形の軸孔４０ａを有する連結スリーブ４０に連動させる。
【００２６】
そして、カメラ側部材１０とレンズ側部材３０との内面例を互いに平行に対向させた状態で傘歯車２５，３８が図で上下方向に位置し、連結軸２７と連結スリーブ４０とが摺動自在に嵌挿して形成されるスライド部材４１（図５参照）がレンズ光軸Ａに直交する平面（図１〜４の紙面）上にあり、その軸線方向をほぼシフト方向に一致させる。
【００２７】
この状態で、カメラ側部材１０の内面側の左右に突設した軸受部１０ａ，１０ｂの軸孔を、レンズ側部材３０の内面側の左右にそれぞれ対応して設けた突起３０ａ，３０ｂにねじ止めした軸４２，４２で軸支するようにして、レンズ側部材３０をカメラ側部材１０のシフト板１３に対して上下方向にほぼ±８度ティルトし得るようにし、所要の角度位置で図示しない固定手段により固定する。
最後に、レンズ側部材３０とシフト板１３の外周部を蛇腹５２で被覆して外光の進入を防止するとともに内部機構を隠蔽する。
【００２８】
このシフト・ティルトアダプタは上記のような構成からなるので、図５に示す状態で軸ねじ４２，４２を支点としてレンズ側部材３０を上下方向にティルトすると、レンズ光軸Ａが画面中心を通って画面に垂直な画面中心軸（シフト，ティルトしない状態のレンズ光軸に一致する）Ｂから傾斜してティルト状態での撮影を行うことができる。
【００２９】
また、図１及び図５に示す状態からシフト板１３を所定長上方へシフトした図６及び図７に示す状態では、レンズ光軸Ａが画面中心軸Ｂから上方へ平行移動してシフト状態での撮影が可能となり、この状態で軸４２，４２を支点としてレンズ側部材３０を上方又は下方へティルトして図８又は図９の状態とすることが可能である。
なお、図示しないが、シフト板１３を下方へシフトした状態で上下方向にティルトすることも可能であることはいうまでもない。
【００３０】
このように、上下にシフトする場合は、カメラ側部材１０のシフト板１３に設けた連結軸２７と、これと回転方向に同動し軸線方向に摺動自在な連結スリーブ４０とからなるスライド部材４１が伸縮するだけであるので、カメラ側チャージリング１１８の回転はカメラ側部材１０の連結ピン１６，連動リング１５，歯部１５ａ，ピニオン２１，２２，２３，傘歯車２４，２５，ユニバーサルジョイント２６，連結軸２７を介してレンズ側部材３０の連結スリーブ４０に伝えられる。
【００３１】
連結スリーブ４０の回転は、ユニバーサルジョイント３９，傘歯車３８，３７，ピニオン３６，３５，３４，歯部３３ａを介して連動リング３３に伝えられ、連結孔３３ｂ，３３ｂに嵌入するレンズ側の連結ピン１２２，１２２（図１０）を介してレンズシャッタ作動リングが駆動される。
また、上下にティルトした場合には、スライド部材４１がレンズ光軸Ａに直交する面に対して傾斜するが、ユニバーサルジョイント２６，３９がその傾斜を吸収して回転を伝えることができる。
【００３２】
なお、上記の実施形態では上下方向のシフト及びティルトのみを可能としたが、このシフト・ティルトアダプタを装着するカメラ１００はレボルビングバック方式であるので、カメラ１００自体をレンズ光軸Ａの回りに９０度回転させることにより、容易に左右方向のシフト及びティルトが可能となる。
【００３３】
また、上記実施形態では、通常のレンズを用いた場合は最長撮影距離に制約があるが、フランジバックを長くした特定のレンズを用意し、通常撮影時にはシフト・ティルトアダプタの両マウント間の間隔に等しい長さの中間リングを用意すれば、アオリ撮影時でも無限遠までの撮影を行うことができ、あるいはシフト量，ティルト量をさらに大きくすることが可能となる。
【００３４】
【発明の効果】
以上述べたように、この発明によるシフト・ティルトアダプタは次に記載するような効果を得ることができる。
請求項１に係る発明においては、カメラ側回転部材の回転をレンズ側回転部材に伝える回転伝達手段が、両回転部材にそれぞれ連動する一対のユニバーサルジョイントと、これら一対のユニバーサルジョイントを連結するスライド部材とからなり、このスライド部材を撮影レンズの光軸にほぼ直交する面上に設けたので、光軸方向の長さをきわめて短くすることができ、最長撮影距離を実際の撮影に支障を生じない範囲におさめることができる。
【００３５】
そして、上記のシフト・ティルトアダプタにおいて、カメラ側部材をカメラのマウント部に装着される基板と、この基板に摺動自在なシフト板とからなるようにすれば、基板がカメラ側に強固に固定されているため、重量のある撮影レンズを安定してシフトすることが可能になる。
【００３６】
また、上記のシフト・ティルトアダプタにおいて、レンズ側部材をシフト板にティルト可能に装着すると、安定したシフト板に装着されるレンズ側部材のティルト状態における強度が増大していかなるティルト状態においても撮影レンズを確実に保持することができる。
【００３７】
さらに、上記のシフト・ティルトアダプタにおいて、レンズ側部材とシフト板とを蛇腹により連結すると、内部に進入する外光を完全に遮光し得るとともに、内部の機構部を見えなくすることができ、カメラ側部材とレンズ側部材のそれぞれのマウント部に設けた情報伝達接点をフレキシブルプリント基板で接続すると、簡単な構成であらゆるアオリ状態での確実な接続が可能となる。
【図面の簡単な説明】
【図１】この発明の一実施形態におけるカメラ側部材の内面側を非シフト状態で示す背面図である。
【図２】同じくそのカメラ側部材の外面側を示す正面図である。
【図３】同じくそのレンズ側部材の内面側を示す背面図である。
【図４】同じくそのレンズ側部材の外面側を示す正面図である。
【図５】同じくそのカメラ側部材とレンズ側部材とを組み付けた場合の非シフト状態を示す側断面図である。
【図６】同じくそのカメラ側部材の内面側を上方へのシフト状態で示す背面図である。
【図７】同じくそのカメラ側部材とレンズ側部材とを組み付けた場合の上方シフト状態を示す側断面図である。
【図８】同じくその上方シフト，上方ティルト時の状態を示す側断面図である。
【図９】同じくその上方シフト，下方ティルト時の状態を示す側断面図である。
【図１０】この発明を実施すべきカメラの概略構成を示す斜視図である。
【符号の説明】
１０：カメラ側部材      １１，３１：マウント部
１２：基板              １３：シフト板
１４：ロックリング      １５，３３：連動リング
１５ａ，３３ａ：歯部    １６：連結ピン
１８，３２：情報伝達接点
２１，２２，２３，３４，３５，３６：ピニオン
２４，２５，３７，３８：傘歯車
２６，３９：ユニバーサルジョイント
２７：連結軸            ３０：レンズ側部材
４０：連結スリーブ      ４１：スライド部材
５１：フレキシブルプリント基板      ５２：蛇腹
Ａ：レンズ光軸          Ｂ：画面中心軸
【図１】
0003650667.tif 000002
【図２】
0003650667.tif 000003
【図３】
0003650667.tif 000004
【図４】
0003650667.tif 000005
【図５】
0003650667.tif 000006
【図６】
0003650667.tif 000007
【図７】
0003650667.tif 000008
【図８】
0003650667.tif 000009
【図９】
0003650667.tif 000010
【図１０】
0003650667.tif 000011